(57)【要約】【課題】回転体の汚れの付着を抑制して刃部の摩擦低減効果が低下してしまうのを抑制できるかみそり器を得る。【解決手段】電気かみそり（かみそり器）１は、体毛を剃る刃部４と、刃部４で体毛を剃る際に肌表面に接触しつつ回転可能なローラ（回転体）１０と、ローラ１０の汚れＤの付着を抑制する汚れ防止手段１００と、を備える。汚れ防止手段１００によって刃部４の摩擦低減を阻害する汚れＤの付着を抑制できるので、ローラ１０の円滑な回転を持続させることができる。これにより、電気かみそり１の長期の使用に際して刃部４の摩擦低減効果が低下してしまうのを抑制して、スムーズに体毛を剃ることができる。【選択図】図３
2013111313.tif 000002
【特許請求の範囲】
【請求項１】
体毛を剃る刃部と、
前記刃部で体毛を剃る際に肌表面に接触しつつ回転可能な回転体と、
前記回転体の汚れの付着を抑制する汚れ防止手段と、を備えることを特徴とするかみそり器。
【請求項２】
前記汚れ防止手段は、前記回転体と当該回転体を支持する軸部との間に汚れが目詰まりするのを抑制するものであることを特徴とする請求項１に記載のかみそり器。
【請求項３】
前記汚れ防止手段は、前記回転体と前記軸部とを一体に形成した回転体・軸部一体構造であることを特徴とする請求項２に記載のかみそり器。
【請求項４】
前記汚れ防止手段は、前記回転体の内周側または／および前記軸部の外周側に形成された溝部であることを特徴とする請求項２に記載のかみそり器。
【請求項５】
前記汚れ防止手段は、前記回転体の内周側または／および前記軸部の外周側に施された親水性のコーティング層であることを特徴とする請求項２または４に記載のかみそり器。
【請求項６】
前記汚れ防止手段は、前記回転体の軸方向両端面または／および前記軸部の前記回転体から外れた外周面に設けられた汚れ吸着部であることを特徴とする請求項２〜５のうち何れか１項に記載のかみそり器。
【請求項７】
前記汚れ防止手段は、前記回転体の近傍における当該かみそり器の外郭部の少なくとも一部に設けられた汚れ吸着部であることを特徴とする請求項２〜６のうち何れか１項に記載のかみそり器。
【請求項８】
前記汚れ防止手段は、前記回転体の近傍に設けられる汚れの吸引機構であることを特徴とする請求項２〜７のうち何れか１項に記載のかみそり器。
【請求項９】
前記汚れ防止手段は、前記回転体に向けて配置されて汚れを飛ばすエアブロー機構であることを特徴とする請求項２〜８のうち何れか１項に記載のかみそり器。
【請求項１０】
前記汚れ防止手段は、前記回転体の表面に汚れが付着するのを抑制するものであることを特徴とする請求項１に記載のかみそり器。
【請求項１１】
前記汚れ防止手段は、前記回転体の表面に形成された微細な凹凸部であることを特徴とする請求項１０に記載のかみそり器。
【発明の詳細な説明】
【技術分野】
【０００１】
本発明は、かみそり器に関する。
【背景技術】
【０００２】
従来より、体毛を剃る刃部に加えてこの刃部で体毛を剃る際に肌表面に接触しつつ回転可能な回転体を設けることで、刃部を肌面上に沿って移動させる際の摩擦力を低減できるようにしたかみそり器が知られている（例えば、特許文献１参照）。
【先行技術文献】
【特許文献】
【０００３】
【特許文献１】特開２００９−２３２８９４号公報
【発明の概要】
【発明が解決しようとする課題】
【０００４】
しかしながら、上記従来のかみそり器にあっては、回転体が肌表面に接触しながら回転するので、回転体とこの回転体を支持する軸部との間に、例えば髭くずや皮脂、あるいは埃等の汚れがどうしても付着してしまうという問題がある。
【０００５】
このような汚れが回転体と軸部との間に入り込むと、回転体の回転が円滑に行われなくなって刃部の摩擦低減効果が損なわれてしまう。また、上記汚れが回転体の表面に付着した場合には、使用者が使用する際に心理的に不快感が伴い、これによって摩擦低減効果の実感が阻害されてしまう恐れがある。
【０００６】
そこで、本発明は、回転体の汚れの付着を抑制して刃部の摩擦低減効果が低下してしまうのを抑制できるかみそり器を得ることを目的とする。
【課題を解決するための手段】
【０００７】
上記目的を達成するために、本発明の第１の特徴は、体毛を剃る刃部と、前記刃部で体毛を剃る際に肌表面に接触しつつ回転可能な回転体と、前記回転体の汚れの付着を抑制する汚れ防止手段と、を備えることを特徴とする。
【０００８】
本発明の第２の特徴は、前記汚れ防止手段は、前記回転体と当該回転体を支持する軸部との間に汚れが目詰まりするのを抑制するものであることを特徴とする。
【０００９】
本発明の第３の特徴は、前記汚れ防止手段は、前記回転体と前記軸部とを一体に形成した回転体・軸部一体構造であることを特徴とする。
【００１０】
本発明の第４の特徴は、前記汚れ防止手段は、前記回転体の内周側または／および前記軸部の外周側に形成された溝部であることを特徴とする。
【００１１】
本発明の第５の特徴は、前記汚れ防止手段は、前記回転体の内周側または／および前記軸部の外周側に施された親水性のコーティング層であることを特徴とする。
【００１２】
本発明の第６の特徴は、前記汚れ防止手段は、前記回転体の軸方向両端面または／および前記軸部の前記回転体から外れた外周面に設けられた汚れ吸着部であることを特徴とする。
【００１３】
本発明の第７の特徴は、前記汚れ防止手段は、前記回転体の近傍における当該かみそり器の外郭部の少なくとも一部に設けられた汚れ吸着部であることを特徴とする。
【００１４】
本発明の第８の特徴は、前記汚れ防止手段は、前記回転体の近傍に設けられる汚れの吸引機構であることを特徴とする。
【００１５】
本発明の第９の特徴は、前記汚れ防止手段は、前記回転体に向けて配置されて汚れを飛ばすエアブロー機構であることを特徴とする。
【００１６】
本発明の第１０の特徴は、前記汚れ防止手段は、前記回転体の表面に汚れが付着するのを抑制するものであることを特徴とする。
【００１７】
本発明の第１１の特徴は、前記汚れ防止手段は、前記回転体の表面に形成された微細な凹凸部であることを特徴とする。
【発明の効果】
【００１８】
本発明によれば、汚れ防止手段によって刃部の摩擦低減を阻害する汚れの付着を抑制できるので、回転体の円滑な回転を持続させることができる。これにより、かみそり器の長期の使用に際して刃部の摩擦低減効果が低下してしまうのを抑制して、スムーズに体毛を剃ることができるようになる。
【図面の簡単な説明】
【００１９】
【図１】本発明の第１実施形態にかかるかみそり器の全体斜視図である。
【図２】図１に示すかみそり器のヘッド部の斜視図である。
【図３】図２に示すヘッド部の正面図である。
【図４】本発明の第１実施形態にかかるかみそり器の回転体の側面図である。
【図５】従来における一般的な回転体の概略を示した図であり、（ａ）は便宜上回転体を１つで示した断面図、（ｂ）は回転体の回転部分に汚れが侵入した状態を示す要部断面図である。
【図６】本発明の第２実施形態にかかるかみそり器を示した図であり、回転体の概略的な斜視図である。
【図７】図６中のＡ−Ａ線に沿った断面図である。
【図８】本発明の第３実施形態にかかるかみそり器を示した図であり、回転体の軸部の各種態様を（ａ）、（ｂ）、（ｃ）でそれぞれ示す正面図である。
【図９】本発明の第４実施形態にかかるかみそり器を示した図であり、回転体の軸支持部分の概略的な拡大断面図である。
【図１０】本発明の第４実施形態を達成するための根拠を（ａ）、（ｂ）によって示す説明図である。
【図１１】本発明の第５実施形態にかかるかみそり器を示した図であり、回転体の軸支持部分の概略的な拡大断面図である。
【図１２】本発明の第６実施形態にかかるかみそり器を示した図であり、回転体の軸支持部分の概略的な斜視図である。
【図１３】図１２中のＢ−Ｂ線に沿った断面図である。
【図１４】本発明の第７実施形態にかかるかみそり器を示した図であり、回転体の軸支持部分の概略的な正面図である。
【図１５】本発明の第８実施形態にかかるかみそり器を示した図であり、回転体を軸支持したヘッド部の斜視図である。
【図１６】本発明の第９実施形態にかかるかみそり器を示した図であり、回転体を軸支持したヘッド部の斜視図である。
【図１７】第９実施形態に用いられる吸引機構の一例を示すブロック図である。
【図１８】本発明の第１０実施形態にかかるかみそり器を示した図であり、回転体を軸支持したヘッド部の斜視図である。
【図１９】第１０実施形態に用いられるエアブロー機構の一例を示すブロック図である。
【図２０】本発明の第１１実施形態にかかるかみそり器を示した図であり、回転体表面汚れ除去部の各種態様を（ａ）、（ｂ）にそれぞれ示す正面図である。
【発明を実施するための形態】
【００２０】
以下、本発明の実施形態について図面を参照しつつ詳細に説明する。なお、以下では、本発明を電気かみそりに適用した場合を例示するが、本発明のかみそり器はこれに限定されず、例えば電動式ではないかみそり器やその他の除毛器を含むものとする。
【００２１】
［第１実施形態］
図１に示すように、本実施形態の電気かみそり１は、使用者が把持するグリップ部２と、このグリップ部２の先端部に連結されるヘッド部３とによって大略構成されている。
【００２２】
グリップ部２には、電気かみそり１を動作させる（電源をオン・オフさせる）押圧式のスイッチ２１が設けられている。このスイッチ２１は、本実施形態では押圧式を例示したが、スライド式やその他のオン・オフできるスイッチであればよい。
【００２３】
ヘッド部３は、グリップ部２に取り付けられるヘッド部本体３１と、このヘッド部本体３１に着脱自在に装着される刃ヘッドハウジング３２（外郭部）とを備えている。
【００２４】
刃ヘットハウジング３２には、使用者の肌表面から延びる体毛を処理する刃部４と、この刃部４に隣接して設けられる回転体としてのローラ１０とが取り付けられるとともに、刃部４を動作させる駆動部（図示せぬ）が内蔵されている。
【００２５】
刃部４は、図２に示すように、ヘッド部３の上方に露出して肌表面に接触する複数の外刃４１と、それぞれの外刃４１の内方（外刃４１の下側）に配置される図示省略した内刃とによって構成される。
【００２６】
外刃４１は、刃ヘッドハウジング３２に固定されており、外刃４１の延在方向Ｙ（本実施形態では左右方向）と直交する直交方向（本実施形態では前後方向）に複数（５枚）並設されている。具体的には、外刃４１としてＸ方向手前側から奥側に向かって、第１のネット刃４１Ａ、第２のネット刃４１Ｂ、スリット刃４２、第３のネット刃４１Ｃおよび第４のネット刃４１Ｄが順に並設されている。
【００２７】
これらの第１〜第４のネット刃４１Ａ〜４１Ｄは、電気かみそり１をＹ方向（側面方向）から見た時に、上方が凸となるように直交方向Ｘに沿って逆Ｕ字状に湾曲形成されている。また、これら第１〜第４のネット刃４１Ａ〜４１Ｄは、電気かみそり１のＸ方向（正面方向）から見た時にも、中央部が若干上方に凸となるようにＹ方向に沿って湾曲形成されている（図３参照）。また、これら第１〜第４のネット刃４１Ａ〜４１Ｄには、体毛Ｈを取り込むための多数の刃穴（図示省略）が形成されている。
【００２８】
スリット刃４２は、先端が略平坦面となるように略逆Ｕ字状に折曲形成されており、このスリット刃４２にあっても平坦な上壁から側壁に亘って体毛Ｈを取り込むための多数のスリット（図示省略）が形成されている。
【００２９】
このような電気かみそり１では、外刃４１の刃穴やスリットに入り込んだ体毛Ｈを、図示省略した駆動部によって内刃を外刃４１に対してＹ方向に往復動させることにより、外刃４１と内刃との共働で切断するようになっている。つまり、この切断によって体毛Ｈが剃られることになる。
【００３０】
なお、本実施形態では、刃部４の外刃４１が第１〜第４のネット刃４１Ａ〜４１Ｄおよびスリット刃４２の５枚刃で構成された場合を例示したが、外刃４１の枚数は５枚に限ることなく、少なくとも１枚以上の外刃４１を備えていればよい。
【００３１】
また、刃ヘッドハウジング３２には、刃部４のＸ方向（前後方向）の両外方近傍、つまり、第１のネット刃４１ＡのＸ方向外側と第４のネット刃４１ＤのＸ方向外側にそれぞれローラ（回転体）１０が設けられている。
【００３２】
ローラ１０は、刃部４で体毛を剃る際に肌表面に接触しつつ回転して、肌表面との摩擦を低減するものである。ローラ１０は、容易に変形しない材料、例えば、硬質プラスチックやセラミックス等で形成されることが好ましい。
【００３３】
本実施形態では、刃部４のＸ方向外側にそれぞれ設けられたローラ１０は、刃部４を挟んで略対称に配置されている。そして、刃部４を挟んで対となったローラ１０は、図２および図３に示すように、それぞれＹ方向に直列に複数設けられている。
【００３４】
このとき、刃ヘッドハウジング３２のＸ方向両側で対向する両辺３２ａ、３２ｂには、ローラ１０を配置するのに十分な深さをもって凹設部３２ｃが設けられている。そして、この凹設部３２ｃにローラ１０が浮いた状態で配置されるとともに、軸部１１の両端部が凹設部３２ｃを跨いで刃ヘッドハウジング３２に固定されている。
【００３５】
ローラ１０は、刃部４で体毛を剃る際に肌表面に接触しつつ回転することにより、刃部４を肌表面に沿って移動させる際に外刃４１と肌表面との摩擦力を低減させる機能を有している。したがって、ローラ１０は、外刃４１よりも肌表面側（Ｚ方向）に所定量突出して配置されている。このとき、図３に示すように、軸部１１は、外刃４１のＹ方向に延在する先端形状に沿って緩やかに湾曲しており、その軸部１１に軸支持された複数個のローラ１０は、外刃４１に対してＺ方向に一様に僅かに突出している。
【００３６】
ところで、電気かみそり１で体毛を剃る際には、まず、ヘッド部３の刃部４を肌表面にあてがった後、深剃りするために刃部４を肌表面に押し付けることになる。すると、ローラ１０が肌表面に接触し、この状態で電気かみそり１を移動するとローラ１０は肌表面に沿って回転しつつ体毛（髭）を切断することができる。このときのローラ１０の回転により、刃部４を移動させる際の摩擦力が低減されて移動抵抗を小さくできることになる。
【００３７】
このとき、電気かみそり１を長期に亘って使用していると、図５（ｂ）に示すように、髭くず、皮脂および埃等の汚れＤがローラ１０と軸部１１との間の隙間８に侵入してしまう。すなわち、図５（ａ）、（ｂ）は、従来の一般的な構成のローラ１０（回転体）を示した図であり、各ローラ１０には中心孔１０ｈが形成され、この中心孔１０ｈに軸部１１が僅かな隙間をもって挿通されることにより、各ローラ１０は回転自在となっている。このように、汚れＤが隙間８に侵入するとローラ１０の回転性が低下したり、ローラ１０が固着したりして刃部４の摩擦低減効果が損なわれてしまう。
【００３８】
そこで、本実施形態では、刃部４の摩擦低減を阻害するローラ１０の汚れＤの付着を抑制する汚れ防止手段を設けている。本実施形態の汚れ防止手段は、ローラ１０とこのローラ１０を支持する軸部１１との間の隙間８に汚れＤが目詰まりするのを抑制するものとなっている。
【００３９】
具体的には、図４に示すように、本実施形態の汚れ防止手段は、ローラ１０と軸部１１とを一体に形成したローラ・軸部一体構造１００として提供されている。つまり、このローラ・軸部一体構造１００によってローラ１０と軸部１１との間の隙間を無くすようにしたものである。勿論、この場合は、刃ヘッドハウジング３２に支持される軸部１１の両端部は、その刃ヘッドハウジング３２に対して回転自在に取り付けられることになる。
【００４０】
なお、図４では、図５（ａ）と同様にローラ１０を便宜上１つで示しているが、実際は図３と同様に、直列配置された複数個のローラ１０で構成されているものとする。
【００４１】
以上により、本第１実施形態の電気かみそり１によれば、刃部４の摩擦低減を阻害するローラ１０の汚れＤの付着を抑制するローラ・軸部一体構造（汚れ防止手段）１００を設けている。そのため、刃部４の摩擦低減を阻害する汚れＤの付着を抑制できるので、ローラ１０の円滑な回転を持続させることができる。これにより、電気かみそり１の長期の使用に際して刃部４の摩擦低減効果が低下してしまうのを抑制して、スムーズに体毛を剃ることができるようになる。
【００４２】
また、本実施形態によれば、ローラ・軸部一体構造（汚れ防止手段）１００を、ローラ１０とこのローラ１０を支持する軸部１１との間に汚れＤが目詰まりするのを抑制するものとしている。そのため、ローラ１０が汚れＤの目詰まりによって軸部１１に固着されてしまうのを阻止して、ローラ１０の円滑な回転を持続させることができるようになる。
【００４３】
さらに、本実施形態によれば、汚れ防止手段をローラ・軸部一体構造１００としたことにより、ローラ１０と軸部１１との間の隙間を無くして、汚れＤによってローラ１０と軸部１１との間が目詰まりするのを無くすことができる。したがって、ローラ１０と軸部１１との間に汚れＤが入り込むのを確実に防止できるので、ローラ１０の円滑な回転を長期に亘ってより確実に持続させることができる。
【００４４】
［第２実施形態］
図６および図７は、本発明の第２実施形態を示した図であり、上記第１実施形態と同一構成部分に同一符号を付して重複する説明を省略して述べるものとする。
【００４５】
本実施形態の電気かみそりが上記第１実施形態と主に異なる点は、汚れ防止手段によって、ローラ１０と軸部１１との係合部分に水を通過させ易くして汚れＤを容易に洗い流すことができるようにしたことにある。
【００４６】
すなわち、本実施形態では、図６および図７に示すように、ローラ１０の内周側に水の通過を促進するキー溝状の溝部（汚れ防止手段）１１０を形成している。勿論、溝部１１０はローラ１０の軸方向に貫通している。
【００４７】
なお、本実施形態では、各ローラ１０に１つの溝部１１０を形成した場合を示したが、溝部１１０を周方向に複数形成したものであってもよい。
【００４８】
以上により、本第２実施形態によれば、ローラ１０の内周側に溝部１１０を設けている。そのため、電気かみそり１の使用後にヘッド部３を流水に当てることによって溝部１１０および隙間８に侵入した汚れＤを容易に洗い流すことができる。したがって、ローラ１０と軸部１１との係合部分に付着した汚れＤを容易に除去できるので、ローラ１０の円滑な回転を持続させることができるようになる。
【００４９】
また、溝部１１０によってローラ１０と軸部１１との間の距離を稼げる分、隙間８に浸入した汚れＤを溝部１１０に逃がして、ローラ１０と軸部１１とをより固着しにくくできるという利点もある。
【００５０】
［第３実施形態］
図８は、本発明の第３実施形態を示した図であり、上記第１実施形態と同一構成部分に同一符号を付して重複する説明を省略して述べるものとする。
【００５１】
本実施形態は、上記第２実施形態と同様にローラ１０と軸部１１との係合部分に水を通過させて汚れＤを容易に洗い流せることができるようにしたのであるが、上記第２実施形態と主に異なる点は、軸部１１側に溝部（汚れ防止手段）１１１を形成したことにある。
【００５２】
すなわち、本実施形態では、軸部１１の外周側に溝部１１１を形成したものであり、この溝部１１１を形成するにあたって、図８には（ａ）〜（ｃ）によって３通りの溝部１１１の形状を示してある。図８（ａ）では、溝部１１１を軸部１１の周方向に沿った横溝１１１ａとして形成したもので、その横溝１１１ａを軸部１１の軸方向に一定間隔をもって複数形成している。（ｂ）では、溝部１１１を一本の螺旋溝１１１ｂとして形成したもので、その螺旋溝１１１ｂを軸部１１の外周側に一定ピッチをもって螺旋状に形成している。（ｃ）では、溝部１１を軸部１１の軸方向に沿った縦溝１１１ｃとして形成したもので、その縦溝１１１ｃを軸部１１の周方向に一定間隔をもって複数形成している。なお、図８ではローラ１０を省略している。
【００５３】
したがって、本実施形態では、上記第２実施形態と同様に電気かみそり１の使用後にヘッド部３を水道等の流水に晒すことにより、流水は溝部１１１を通過し、かつ、その溝部１１１を通過する流水は隙間８（図７参照）全体にも流れ込んで通過することになる。
【００５４】
以上により、本第３実施形態によれば、軸部１１に、横溝１１１ａや螺旋溝１１１ｂおよび縦溝１１１ｃ等の溝部１１１を形成している。これにより、ヘッド部３を流水に晒すことにより、溝部１１１および隙間８に侵入した汚れＤを容易に洗い流すことができる。したがって、ローラ１０と軸部１１との係合部分に付着した汚れＤを容易に除去できるので、ローラ１０の円滑な回転を持続させることができるようになる。
【００５５】
また、溝部１１１によってローラ１０と軸部１１との間の距離を稼げる分、隙間８に浸入した汚れＤを溝部１１０に逃がして、ローラ１０と軸部１１とをより固着しにくくできるという利点もある。
【００５６】
なお、上記第２実施形態ではローラ１０のみに溝部１１０を形成し、かつ、上記第３実施形態では軸部１１にのみ溝部１１１を形成したが、これら溝部１１０と溝部１１１を併せて形成してもよい。
【００５７】
［第４実施形態］
図９および図１０は、本発明の第４実施形態を示した図であり、上記第１実施形態と同一構成部分に同一符号を付して重複する説明を省略して述べるものとする。
【００５８】
本実施形態の電気かみそりが上記第２実施形態と主に異なる点は、ローラ１０の中心孔１０ｈの内周に付着した汚れＤを水で洗い流す際に、その汚れＤを容易に剥がし易くしたことにある。
【００５９】
すなわち、本実施形態では、図９に示すように、ローラ１０の内周側、つまり、軸部１１に係合する中心孔１０ｈの内周に親水性のコーティング層（汚れ防止手段）１２０を施してある。
【００６０】
一般的に、図１０（ａ）の上段に示すように、コーティング層１２０が設けられない洗浄体Ｍに汚れＤが付着した場合、この汚れＤを除去するためには汚れＤの付着力を上回る水圧や水量等の水Ｗの力が必要となる。しかし、強力な水Ｗの力で汚れＤの成分である髭くずＤｂや角質Ｄｈを洗い流すことができたとしても、図１０（ａ）の下段に示すように、付着した皮脂Ｄｓは洗浄体Ｍに残留され易い。
【００６１】
ここで、図１０（ｂ）の上段に示すように、洗浄体Ｍに親水性のコーティング層１２０を施した場合を考える。この親水性のコーティング層１２０は水Ｗと馴染み易く、洗浄する際に水Ｗはコーティング層１２０の表面に密着した状態で広がっていく。したがって、図１０（ｂ）の下段に示すように、洗浄水Ｗは洗浄体Ｍと皮脂Ｄｓとの間に容易に侵入し、ひいては、洗浄体Ｍから皮脂Ｄｓを剥がして髭くずＤｂや角質Ｄｈと共に除去することができる。この場合、コーティング層１２０は高親水性のものが好ましい。
【００６２】
したがって、図９に示すように、ローラ１０の中心孔１０ｈの内周にコーティング層１２０を施したことにより、このコーティング層１２０に付着した汚れＤは、ローラ１０と軸部１１の隙間８に水Ｗを流すことにより容易に剥がすことができる。
【００６３】
以上により、本第４実施形態によれば、ローラ１０の内周側に親水性のコーティング層１２０を施している。これにより、ローラ１０と軸部１１との隙間８（係合部分）に汚れＤが入り込んだ場合にも、その隙間８に水Ｗを通過させることにより汚れＤをコーティング層１２０から容易に剥がして洗い流すことができる。よって、ローラ１０の内周に付着した皮脂Ｄｓ等の汚れＤによって隙間８が目詰まりしてしまうのを抑制して、ローラ１０の円滑な回転を持続させることができるようになる。
【００６４】
［第５実施形態］
図１１は、本発明の第５実施形態を示した図であり、上記第１実施形態と同一構成部分に同一符号を付して重複する説明を省略して述べるものとする。
【００６５】
本実施形態は、上記第４実施形態と同様にコーティング層１２１によって汚れＤを容易に剥がし易くしたものであるが、本実施形態が上記第４実施形態と異なる点は、コーティング層１２１を軸部１１の外周側に施したことにある。
【００６６】
すなわち、本実施形態では、図１１に示すように、軸部１１の外周に親水性のコーティング層（汚れ防止手段）１２１を設けている。このコーティング層１２１は、上記第４実施形態のコーティング層１２０と同様に、図１０に示した機能を有するものである。
【００６７】
したがって、図１１に示すように、軸部１１の外周にコーティング層１２１を施したことにより、このコーティング層１２１に付着した汚れＤは、ローラ１０と軸部１１との隙間８に水Ｗを流すことにより容易に剥がすことができる。
【００６８】
以上により、本第５実施形態によれば、軸部１１の外周側に親水性のコーティング層１２１を施している。これにより、上記第４実施形態と同様に、ローラ１０と軸部１１との間の隙間８に汚れＤが入り込んだ場合にも、その隙間８に水Ｗを通過させることにより汚れＤをコーティング層１２１から容易に剥がして洗い流すことができる。よって、軸部１１の外周に付着した皮脂Ｄｓ等の汚れＤによって隙間８が目詰まりしてしまうのを抑制して、ローラ１０の円滑な回転を持続させることができるようになる。
【００６９】
なお、上記第４実施形態ではローラ１０のみにコーティング層１２０を設け、かつ、上記第５実施形態では軸部１１のみにコーティング層１２１を設けたが、これらコーティング層１２０、１２１を併せて設けるようにしてもよい。
【００７０】
［第６実施形態］
図１２および図１３は、本発明の第６実施形態を示した図であり、上記第１実施形態と同一構成部分に同一符号を付して重複する説明を省略して述べるものとする。なお、本実施形態では、ローラ１０は軸部１１に回転支持されていてもよく、また、ローラ１０と軸部１１とが一体となっていてもよい。
【００７１】
本実施形態の電気かみそりが上記第１実施形態と主に異なる点は、刃部４の摩擦低減効果を低下する汚れＤの付着部位以外の部位に汚れＤを積極的に吸着させて、摩擦低減効果に影響を与える部位への汚れＤの付着を抑制するようにしたことにある。
【００７２】
すなわち、図１２および図１３に示すように、本実施形態ではローラ１０の軸方向両端面１０ａ、１０ｂに、汚れ吸着部（汚れ防止手段）としての帯電部１３０を設けてある。この帯電部１３０は、テフロン（登録商標）などの帯電列がマイナスの材料をコーティングしたもので、刃部４で切断されることによりプラスに帯電した髭くずＤｂ（図１０参照）を積極的に吸着させることができる。このとき、汚れＤを集塵させたくない部位、例えばローラ１０が肌と接触する外周に、導電性が高い材料を用いた帯電防止コーティングを施すようにしている。このことは、帯電列がマイナスの材料（帯電部１３０）に、プラスに帯電した物が近付くと、それがマイナスに帯電する現象を利用したものである。
【００７３】
したがって、帯電部１３０をコーティングしたローラ１０の軸方向両端面１０ａ、１０ｂは、刃部４で体毛を剃る際に肌に接触しない部位であり、その両端面１０ａ、１０ｂの帯電部１３０は常にマイナスに帯電された状態となる。これにより、刃部４で体毛を切断する際に生ずる髭くずＤｂや角質Ｄｈおよび皮脂Ｄｓ等の汚れＤは、帯電部１３０に積極的に吸着されることになる。
【００７４】
以上により、本第６実施形態によれば、帯電部１３０をローラ１０の軸方向両端面１０ａ、１０ｂに設けたことにより、汚れＤを肌が接触しない両端面１０ａ、１０ｂに積極的に吸着させることができる。これにより、ローラ１０の外周やローラ１０と軸部１１との係合部に汚れＤが付着するのを効率良く抑制でき、ローラ１０の円滑な回転を持続させることができるようになる。
【００７５】
［第７実施形態］
図１４は、本発明の第７実施形態を示した図であり、上記第１実施形態と同一構成部分に同一符号を付して重複する説明を省略して述べるものとする。なお、本実施形態にあっても、ローラ１０は軸部１１に回転支持されていてもよく、また、ローラ１０と軸部１１とが一体となっていてもよい。
【００７６】
本実施形態は、上記第６実施形態と同様に汚れ吸着部としての帯電部１３１によって汚れＤを積極的に吸着させるようにしたものであるが、本実施形態が上記第６実施形態と異なる点は、帯電部１３１を軸部１１側に設けたことにある。
【００７７】
すなわち、本実施形態では、図１４に示すように、帯電部１３１を軸部１１のローラ１０から外れた外周面、本実施形態では軸部１１の両端部に設けている。この帯電部１３１は、上記第６実施形態で述べたのと同様に、テフロン（登録商標）などの帯電列がマイナスの材料をコーティングしたもので、汚れＤを集塵させたくない部位、例えば軸部１１がローラ１０と接触する部分には帯電防止コーティングを施している。
【００７８】
したがって、帯電部１３１をコーティングした軸部１１のローラから外れた外周は、ローラ１０やこのローラ１０の係合部分から外れた部分であり、その外れた部分が常にマイナスに帯電された状態となる。これにより、刃部４で体毛を切断する際に生ずる髭くずＤｂや角質Ｄｈおよび皮脂Ｄｓ等の汚れＤは、帯電部１３１に積極的に吸着されることになる。
【００７９】
以上により、本第７実施形態によれば、帯電部１３１を軸部１１のローラ１０から外れた外周面に設けたことにより、汚れＤをローラ１０やこのローラ１０の係合部分から外れた部分に積極的に吸着させることができる。これにより、ローラ１０やローラ１０と軸部１１との間の隙間８に汚れＤが付着するのを効率良く抑制でき、ローラ１０の円滑な回転を持続させることができるようになる。
【００８０】
なお、上記第６実施形態ではローラ１０の両端面１０ａ、１０ｂに帯電部１３０を設け、かつ、上記第７実施形態では軸部１１のローラ１０から外れた外周に帯電部１３１を設けたが、それら両者にそれぞれ帯電部１３０、１３１を併せて設けてもよい。また、上記第６および第７実施形態では、汚れ吸着部として帯電部１３０、１３１を用いたが、この帯電部以外の汚れ吸着手段であってもよい。
【００８１】
［第８実施形態］
図１５は、本発明の第８実施形態を示した図であり、上記第１実施形態と同一構成部分に同一符号を付して重複する説明を省略して述べるものとする。なお、本実施形態にあっても、ローラ１０は軸部１１に回転支持されていてもよく、また、ローラ１０と軸部１１とが一体となっていてもよい。
【００８２】
本実施形態の電気かみそりが上記第６および第７実施形態と主に異なる点は、汚れ吸着部としての帯電部１３２をヘッド部３に設けたことにある。
【００８３】
すなわち、図１５に示すように、帯電部１３２をローラ（回転体）１０の近傍における電気かみそり１の外郭部である刃ヘッドハウジング３２の外側面に設けている。このとき、帯電部１３２は、刃ヘッドハウジング３２の汚れＤが最も集塵され易い一部に設けるようにすれば足りる。この帯電部１３２は、上記第６実施形態で述べたと同様に、テフロン（登録商標）などの帯電列がマイナスの材料をコーティングしたもので、汚れＤを集塵させたくない部位、例えばローラ１０や軸部１１には帯電防止コーティングを施している。
【００８４】
したがって、刃ヘッドハウジング３２の外側面の帯電部１３２を設けた部分は、常にマイナスに帯電された状態となっており、電気かみそり１で体毛を剃る際に発生する汚れＤは、刃ヘッドハウジング３２の外側面に積極的に吸着されることになる。
【００８５】
以上により、本第８実施形態によれば、帯電部１３２を刃ヘッドハウジング３２の外側面の少なくとも一部に設けたことにより、汚れＤをローラ１０および軸部１１から外れた刃ヘッドハウジング３２に積極的に吸着させることができる。これにより、ローラ１０やローラ１０と軸部１１との間の隙間８に汚れＤが付着するのを効率良く抑制でき、ローラ１０の円滑な回転を持続させることができるようになる。
【００８６】
なお、本実施形態では、帯電部１３２を刃ヘッドハウジング３２のＸ方向（図２参照）の一方側にのみ設けるようにしたが、Ｘ方向両側にそれぞれ設けるようにしてもよい。
【００８７】
［第９実施形態］
図１６および図１７は、本発明の第９実施形態を示した図であり、上記第１実施形態と同一構成部分に同一符号を付して重複する説明を省略して述べるものとする。なお、本実施形態にあっても、ローラ１０は軸部１１に回転支持されていてもよく、また、ローラ１０と軸部１１とが一体となっていてもよい。
【００８８】
本実施形態の電気かみそりが上記第１実施形態と主に異なる点は、ローラ１０や軸部１１に付着しようとする汚れＤを強制的に吸引して除去することにある。
【００８９】
すなわち、本実施形態では、図１６に示すように、ローラ１０の近傍に汚れの吸引機構（汚れ防止手段）１４０を設けている。この吸引機構１４０は、図１７に示すように、駆動回路１４１、ファンモータ１４２、吸引器１４３および集塵部１４４を備えて構成されている。
【００９０】
そして、駆動回路１４１でファンモータ１４２を駆動させることにより吸引器１４３を作動し、その吸引圧力を利用して汚れＤを吸引するようになっており、吸引した汚れＤは集塵部１４４で集塵する。
【００９１】
本実施形態では、駆動回路１４１およびファンモータ１４２は、刃ヘッドハウジング３２内に格納されている。その一方で、吸引器１４３は、図１６に示すように、ローラ１０を支持する軸部１１の両端部外側で、体毛を剃る際に邪魔とならない位置に一対配置されている。集塵部１４４は、刃ヘッドハウジング３２の内部となっている。また、吸引器１４３は、前後一対設けられたローラ１０にそれぞれ対応して、刃ヘッドハウジング３２のＸ方向（図１参照）の両側に対称に配置されることが好ましい。
【００９２】
そして、吸引器１４３で集塵した汚れＤは、ダクト１４５を介して集塵部１４４に集塵される。また、吸引機構１４０は、電気かみそり１のグリップ部２に設けられたスイッチ２１（図１参照）に連動してオン・オフされるようになっている。
【００９３】
したがって、電気かみそり１を使用するにあたってスイッチ２１をオンすると、刃部４と吸引機構１４０が駆動され、体毛を剃る際に出る汚れＤは吸引器１４３で強制的に吸引されて、刃ヘッドハウジング３２（集塵部１４４）に集塵される。そして、集塵した汚れＤは、刃ヘッドハウジング３２をヘッド本体部３１から取り外して廃棄するようになっている。
【００９４】
以上により、本第９実施形態によれば、汚れの吸引機構１４０をローラ１０の近傍に設けたので、ローラ１０やこのローラ１０の回転部分に付着しようとする汚れＤを吸引機構１４０で吸引して除去できる。これにより、ローラ１０の外周やローラ１０と軸部１１との間の隙間８に汚れＤが付着するのを効率良く抑制でき、回転体の円滑な回転を持続させることができるようになる。
【００９５】
［第１０実施形態］
図１８および図１９は、本発明の第１０実施形態を示した図であり、上記第１実施形態と同一構成部分に同一符号を付して重複する説明を省略して述べるものとする。なお、本実施形態にあっても、ローラ１０は軸部１１に回転支持されていてもよく、また、ローラ１０と軸部１１とが一体となっていてもよい。
【００９６】
本実施形態の電気かみそりが第１の実施形態と主に異なる点は、ローラ１０や軸部１１に付着しようとする汚れＤを強制的に吹き飛ばして除去することにある。
【００９７】
すなわち、本実施形態では、図１８に示すように、ローラ１０の近傍に汚れを吹き飛ばすエアブロー機構（汚れ防止手段）１５０を設けている。このエアブロー機構１５０は、図１９に示すように、駆動回路１５１、ファンモータ１５２および送風器１５３を備えて構成されている。そして、駆動回路１５１でファンモータ１５２を駆動させることにより送風器１５３を作動し、その送風圧力を利用して汚れＤを吹き飛ばすようになっている。
【００９８】
本実施形態では、駆動回路１５１およびファンモータ１５２は、刃ヘッドハウジング３２内に格納されている。その一方で、送風器１５３は、図１８に示すように、ローラ１０を支持した軸部１１の両端部外側で、体毛を剃る際に邪魔とならない位置に一対配置されている。また、送風器１５３は、前後一対設けられたローラ１０にそれぞれ対応して、刃ヘッドハウジング３２のＸ方向（図１参照）の両側に対称に配置されることが好ましい。
【００９９】
また、エアブロー機構１５０は、電気かみそり１のグリップ部２に設けられたスイッチ２１（図１参照）に連動してオン・オフされるようになっている。
【０１００】
したがって、電気かみそり１を使用するにあたってスイッチ２１をオンすると、刃部４とエアブロー機構１５０が駆動される。そして、ファンモータ１５２で発生した送風は、ダクト１５４を介して送風器１５３からローラ１０に向かって吹き出され、体毛を剃る際に出る汚れＤは強制的に吹き飛ばされる。
【０１０１】
以上により、本第１０実施形態によれば、エアブロー機構１５０をローラ１０の近傍に設けたので、ローラ１０やこのローラ１０の回転部分に付着しようとする汚れＤをエアブロー機構１５０で吹き飛ばして除去できる。これにより、ローラ１０の外周やローラ１０と軸部１１との間の隙間８に汚れＤが付着するのを効率良く抑制でき、回転体の円滑な回転を持続させることができるようになる。
【０１０２】
［第１１実施形態］
図２０は、本発明の第１０実施形態を示した図であり、上記第１実施形態と同一構成部分に同一符号を付して重複する説明を省略して述べるものとする。なお、本実施形態にあっても、ローラ１０は軸部１１に回転支持されていてもよく、また、ローラ１０と軸部１１とが一体となっていてもよい。
【０１０３】
本実施形態の電気かみそりが上記第１実施形態と主に異なる点は、汚れ防止手段によって、ローラ１０の表面１０Ｓに汚れＤが付着するのを抑制できるようにしたことにある。
【０１０４】
すなわち、本実施形態では、図２０（ａ）、（ｂ）に示すように、ローラ１０の表面１０Ｓに汚れ防止手段として微細な凹凸部１６０を形成している。この微細な凹凸部１６０は、（ａ）ではローラ１０の外周に同心状に形成した縦溝１６０ａを中心軸方向に複数形成してあり、（ｂ）ではローラ１０の外周に中心軸方向に形成した横溝１６０ｂを周方向に複数形成してある。このとき、縦溝１６０ａおよび横溝１６０ｂは、それぞれの溝幅を水の浸入を許容できる程度に極狭く形成されている。
【０１０５】
そして、ローラ１０の表面１０Ｓに汚れＤが付着した場合に、刃ヘッドハウジング３２をヘッド本体部３１から取り外して水洗いする。このとき、ローラ１０の表面１０Ｓは、微細な凹凸部１６０（１６０ａ、１６０ｂ）によって親水性表面となっており、洗浄水はローラ１０の表面１０Ｓの全体に沿って流れ易くなる。これにより、ローラ１０の表面１０Ｓに付着した汚れを容易に洗い流すことができ、その表面１０Ｓを綺麗に維持できる。
【０１０６】
以上により、本第１１実施形態によれば、ローラ１０に形成した汚れ防止手段としての微細な凹凸部１６０によって、ローラ１０の表面１０Ｓに汚れＤが付着するのを抑制することができる。そのため、ローラ１０の表面１０Ｓを綺麗に維持し易くでき、使用者が使用する際の心理的な不快感を低減して、刃部４の摩擦低減効果の実感が阻害されてしまうのを防止できる。
【０１０７】
また、本実施形態によれば、汚れ防止手段がローラ１０の表面１０Ｓに形成された微細な凹凸部１６０（１６０ａ、１６０ｂ）であるので、より一層ローラ１０の表面１０Ｓに汚れＤが付着するのを抑制することができる。
【０１０８】
さらに、汚れ防止手段として凹凸部１６０を設けたことで、ローラ１０を水洗いすることで表面１０Ｓに付着した汚れＤの除去を促進することができる。よって、ローラ１０の表面１０Ｓに付着した汚れＤを容易に洗い流して、その表面１０Ｓを綺麗に維持し易くできる。
【０１０９】
なお、本実施形態では凹凸部１６０として、縦溝１６０ａや横溝１６０ｂを示したが、これに限ることは無く微細な螺旋溝や微細な凹部であってもよく、要するに表面１０Ｓを親水性にできる凹凸部の形状であればよい。
【０１１０】
以上、本発明の好適な実施形態について説明したが、本発明は上記実施形態には限定されず、種々の変形が可能である。
【符号の説明】
【０１１１】
１  電気かみそり
４  刃部
８  隙間
１０  ローラ（回転体）
１０Ｓ  回転体の表面
１１  軸部
１００  回転体・軸部一体構造（汚れ防止手段）
１１０、１１１  溝部（汚れ防止手段）
１２０、１２１  親水性のコーティング層（汚れ防止手段）
１３０、１３１、１３２  帯電部（汚れ吸着部）
１４０  吸引機構（汚れ防止手段）
１５０  エアブロー機構（汚れ防止手段）
１６０  凹凸部（汚れ防止手段）
Ｄ  汚れ
【図１】
2013111313.tif 000003
【図２】
2013111313.tif 000004
【図３】
2013111313.tif 000005
【図４】
2013111313.tif 000006
【図５】
2013111313.tif 000007
【図６】
2013111313.tif 000008
【図７】
2013111313.tif 000009
【図８】
2013111313.tif 000010
【図９】
2013111313.tif 000011
【図１０】
2013111313.tif 000012
【図１１】
2013111313.tif 000013
【図１２】
2013111313.tif 000014
【図１３】
2013111313.tif 000015
【図１４】
2013111313.tif 000016
【図１５】
2013111313.tif 000017
【図１６】
2013111313.tif 000018
【図１７】
2013111313.tif 000019
【図１８】
2013111313.tif 000020
【図１９】
2013111313.tif 000021
【図２０】
2013111313.tif 000022